(57)【要約】【課題】  カーテンの着脱を行うファスナーのスライダーが表裏関係なく装着でき、１方向に移動させるだけで、ファスナーの開閉を行うこと。【解決手段】  カーテンの吊部片２の下縁ファスナー３とカーテン本体４の上縁ファスナー５とにスライダー８を装着した側からスライダー８を移動させてカーテン本体４をカーテンレール１に吊下げ装着し、スライダー８の移動終端部分で停止してセットが完了し、スライダー８を更に移動させてファスナーから脱出させたときにはカーテン本体４の重量でファスナーが開放される構成である。【選択図】      図１
2005095265.tif 000002
【特許請求の範囲】
【請求項１】
カーテンレールに吊下げるランナーを複数個備えたカーテンが上側の吊部片と下側のカーテン本体とに分割され、その境界部分にスライドファスナーを配置し、吊部片とカーテン本体とをスライダーで着脱できるようにしてある簡易着脱式カーテンにおいて、
下側のカーテン本体の上端縁に縫着した上縁ファスナーの端部にファスナー取付部材を固着し、他方、上側吊部片の下縁ファスナーの端部に位置してカーテン本体の前記ファスナー取付部材に係合する係合部材を配置するようにし、この下縁ファスナー及び上縁ファスナーの終端部分で両者の噛合位置からスライダーが容易に脱出できるようになっていることを特徴とする簡易着脱式カーテン。
【請求項２】
カーテンレールに吊下げるランナーを複数個備えたカーテンが上側の吊部片と下側のカーテン本体とに分割され、その境界部分にスライドファスナーを配置し、吊部片とカーテン本体とをスライダーで着脱できるようにしてある簡易着脱式カーテンにおいて、
前記カーテン本体の上縁に沿って縫着した上縁ファスナーの始端に設けたファスナー取付部材を、前記吊部片の下縁に沿って縫着した下縁ファスナーの末端に配置する係合部材に嵌合し、前記係合部材の一端よりスライダーを挿入した後、ファスナー取付部材を前記係合部材に平行に配置してスライダーを異動させて下縁ファスナーと上縁ファスナーとにスライダーをセットし、このスライダーを移動させながら前記下縁ファスナーと前記上縁ファスナーとの各針片を噛合させ、両ファスナーの終端までスライダーを移動させてカーテン本体をカーテンレールに吊り下げ、他方、カーテン本体を前記吊部片から取り外す場合にはスライダーを更に移動させて両ファスナーから脱抜させることによりカーテン本体を取り外すことを特徴とする簡易着脱式カーテン。
【請求項３】
前記吊部片の下縁ファスナーとカーテン本体の上縁ファスナーとからなるスライドファスナーが、チェーン横引き強度３〜５ＶＳ/2.5ｃｍであることを特徴とする請求項１又は請求項２に記載の簡易着脱式カーテン。
【請求項４】
前記ファスナー取付部材を挿着する前記係合部材の挿入部に内側面に一時止機構が設けられていることを特徴とする請求項１乃至請求項２に記載の簡易着脱式カーテン。
【請求項５】
前記吊部片の下縁ファスナーの末端に配置する係合部材のスライダーの挿入口にスライダーの仮止をするように前記係合部材の先端を前記スライダーの内側幅よりやや大きな幅にし、この部分にスリットを設けてあることを特徴とする請求項１乃至請求項２に記載のいずれか１つの簡易着脱式カーテン。
【発明の詳細な説明】
【技術分野】
【０００１】
本発明は、窓枠の遮光用として、部屋の仕切幕として利用されているカーテンの簡易な取り付け、取り外しができる簡易着脱式カーテンに関する。
【背景技術】
【０００２】
従来の仕切りカーテンなどは洗濯や新品と取り替える際には、その都度カーテンレールのカーテンランナーから吊フックを外し、カーテンを外していた。その作業が大変であり、特に、大きな丈の長いカーテンの場合はカーテンの着脱が非常に繁雑であった。
そのためカーテンの上端部分をカーテンレールに残し、下側のカーテン本体のみを着脱交換できる技術が提案がされている。吊具を取り付けた部分と下側カーテンとを分離し、下側のカーテンのみを交換できるようにしたものが知られている。例えば、吊具取付部分の下縁とカーテン本体の上縁とにスライドファスナーを取り付けるようにしたものが知られている（特許文献１）。また、上端部分とカーテン部分との境界にオープンファスナーを取り付け、スライダーにより両者を係合させるものが知られている（特許文献２）。この場合は、カーテンを外す場合は、スライダーを終端まで移動してカーテンのファスナーを開き、終端（図面上右）側で終端金具を外し、スライダーを取り外すことになる。逆にカーテンを装着する場合は、この右端から上下のファスナーの針を合わせ、スライダーを挿入しなければならなかった。更に、ひだ付カーテンの場合のチャック脱着式カーテンが知られている（特許文献３）。
【特許文献１】実開昭６４−３５９８４号公報第１頁
【特許文献２】実開平５−２３９８４号公報図面
【特許文献３】実公平７−１０６３１号公報図面
【０００３】
このような従来のものは自動車の窓などの軽量なカーテンにおいては余り問題になっていなかったが、建築物、ホテルや病院などでは大きなカーテンのために取り付け作業では、カーテン自体が重いためスライダ―の挿入などの作業が困難であり、また、オープンファスナーの場合は終端の金具の取り外し、または挿入が容易ではなかった。
前記特許文献１及び特許文献２で示されるものはいずれも図面ではスライダーが左から右に移動するときにカーテンが外れるようになっている。これは通常のオープンファスナーのためであるから終端の金具を取り外し、スライダーを抜いてファスナーを開いてカーテン全体を落下させるものである。
【発明の開示】
【発明が解決しようとする課題】
【０００４】
本発明は、以上の問題点を解決するために発明されたものであり、本発明は、従来のようにスライドの移動をストップする金具を取り外すようなオープンファスナーを使用するものではなく、また、終端の係止金具を取り外すことなく、簡易にカーテン本体を取り外すことができる簡易着脱式カーテンを提供することである。
本発明の課題は、カーテン本体をカーテンレールにセットするスライダーの方向性に限定されることなく、スライダーの表側でも裏側でも装着が可能な簡易着脱式カーテンを提供することである。
本発明の課題は、下縁ファスナーと上縁ファスナーとにスライダーを装着した側からスライダーを移動させてカーテン本体を吊下げ装着し、スライダーの移動終端部分で停止してセットが完了し、スライダーを更に移動させてファスナーから脱出させたときにはカーテン本体の重量でファスナーが開放される簡易着脱式カーテンを提供することである。
【課題を解決するための手段】
【０００５】
本発明は、以上の課題を達成するため簡易着脱式カーテンは、カーテンレールに吊下げるランナーを複数個備えたカーテンが上側の吊部片と下側のカーテン本体とに分割され、その境界部分にスライドファスナーを配置し、吊部片とカーテン本体とをスライダーで着脱できるようにしてある簡易着脱式カーテンにおいて、下側のカーテン本体の上端縁に縫着した上縁ファスナーの端部にファスナー取付部材を固着し、他方、上側吊部片の下縁ファスナーの端部に位置してカーテン本体の前記ファスナー取付部材に係合する係合部材を配置するようにし、この下縁ファスナー及び上縁ファスナーの終端部分で両者の係合位置からスライダーが容易に脱出できるようになっている簡易着脱式カーテンの構成である。
【０００６】
また、前記課題は、前記カーテン本体の上縁に沿って縫着した上縁ファスナーの始端に設けたファスナー取付部材を、前記吊部片の下縁に沿って縫着した下縁ファスナーの末端に配置する係合部材に嵌合し、前記係合部材の一端よりスライダー挿入した後、ファスナー取付部材を前記係合部材に平行に配置してスライダーを移動させて下縁ファスナーと上縁ファスナーとにスライダーをセットし、このスライダーを移動させながら前記下縁ファスナーと前記上縁ファスナーとの針片を噛合させ、両ファスナーの終端までスライダーを移動させてカーテン本体をカーテンレールに吊り下げ、他方、カーテン本体を前記吊部片から取り外す場合にはスライダーを更に移動させて両ファスナーから脱抜させることによりカーテン本体を取り外す簡易着脱式カーテンの構成によって達成できる。
【０００７】
本発明の課題は、前記吊部片の下縁ファスナーとカーテン本体の上縁ファスナーとからなるスライドファスナーが、チェーン横引き強度３〜５ＶＳ/2.5ｃｍである構成、前記ファスナー取付部材を挿着する前記係合部材の挿入部に内側面に一時止機構が設けられている構成、及び前記吊部片の下縁ファスナーの末端に配置する係合部材のスライダーの挿入口にスライダーの仮止をするように前記係合部材の先端を前記スライダーの内側幅よりやや大きな幅にし、この部分にスリットを設けてある構成によって達成できる。
【０００８】
本発明の簡易着脱式カーテンに使用するスライドファスナーは、金属製でも良いが、昨今は合成樹脂製であり、特に樹脂射出ファスナーが使用できる。また、装着されるスライダーは表側、または裏側からでも装着して使用可能なものである。
本発明に使用するファスナーは、強度の優れたものでチェーン横引き強度３〜５ＶＳ/2.5ｃｍであるから、通常のカーテンでも落下することなく、吊下げ状態が維持できる。
本発明の簡易着脱式カーテンに使用する係合部材の内側溝に一時係止機構が設けられているから、ファスナー取付部材が係合部材に確実に係止でき、スライダーの係合部材とファスナー取付部材への装着が容易にできる。
【発明の効果】
【０００９】
本発明の簡易着脱式カーテンは、強度が３〜１５ＶＳのファスナーを使用することにより丈の長い重量のあるカーテンでも自然落下することなくカーテン本体を保持することができる。
本発明の簡易着脱式カーテンは、カーテンレールにセットした吊部片の下縁ファスナーに配置した係合部材とカーテン本体の上縁ファスナーに固着したファスナー取付部材とにより簡易に両ファスナー間にスライダーを装着することができるから重い、丈の長いカーテンでもカーテンレールへ簡易に吊下げ装着することができる。
【００１０】
本発明の簡易着脱式カーテンは、カーテン本体を取り外すときにスライダーを始発点に戻す必要がなく、ファスナーの終端からスライダーを引き抜くと言う作業（針片の欠除部から）のみで、カーテン本体の重みでファスナーが開放されて容易にカーテン本体を取り除くことができる。
本発明の簡易着脱式カーテンは、長尺であっても苦労せず容易にカーテンを交換できる。特に、ファスナーのスライダーを一歩方向に移動するだけでカーテンの装着や脱落が可能であるから短時間に交換作業が出来る。
【発明を実施するための最良の形態】
【００１１】
以下、本発明の簡易着脱式カーテンの実施形態について図面を参照して詳述する。
図１は本発明の簡易着脱式カーテンの装着開始形態を示す斜視図である。図２は本発明のカーテン本体をスライダーにより取付け状態を示す斜視図である。図３は、図２の要部拡大図である。図４は本発明の係合部材とファスナー取付部材の実施形態を示す分解状態を示す斜視図である。図５は本発明の簡易着脱式カーテンの上下に分割した状態を示す説明図である。図６は本発明の簡易着脱式カーテンの取り外し機構の拡大説明図である。
【００１２】
図１に示されるように、カーテンレール１内を摺動する複数のランナーをフックなどで結合したカーテンの上部を形成する吊部片２の下端縁に沿ってスライドファスナーの一方である下縁ファスナー３が縫着してある。この吊部片２の末端に位置してスライダー８を挿入可能な溝９を備えた係合部材６が配置してある。他方カーテン本体４の上端縁に沿って上縁ファスナー５が縫着してあり、この末端（図１では左端）に前記吊部片２の係合部材７に嵌合する挿入片７ａを備えたファスナー取付部材７を固着してある。このファスナー取付部材７には前記係合部材６の下端に当接するスライダー挿入部７ｂを備えている。
【００１３】
この係合部材６とファスナー取付部材７とからなるトップ部はスライダー８をスライドファスナー（下縁ファスナー３と上縁ファスナー５）に挿入する部品である。スライダー８を摺動させて（図１の左から右へ）下縁ファスナー３と上縁ファスナー５とを噛合させてカーテン本体４を吊部片２に吊下げた状態が保持される。この下縁ファスナー３の終点部分には針片３ａが２〜４本欠除した欠除部１０を設けてある（図６参照）。他方、カーテン本体４の上縁ファスナー５の終端においても針片５ａの欠除部１０がある。この欠除部１０が設けられている場合は、この終端部にはスライダー８の留め具があってもよい。
【００１４】
このように構成されている本発明の簡易着脱式カーテンの脱着作業について図面に基づいて説明する。
図１に示されるように係合部材６とファスナー取付部材７は嵌合部（挿入溝７ａ）で嵌合される。このとき挿入溝７ａの内側面に窪み７ｃを備え、係合部材６の膨出部６ｃに嵌合するので、係合部材６との嵌着状態を一時係止（クリック）できるようになっている（一時止機構）。係合部材６との嵌合状態でファスナー取付部材７を回動して挿入部７ｂを係合部材６の下端縁のスリット６ｂに挿入して当接する。スライダー８の開口部（幅狭い）から係合部材６の先端６ａに挿入する。このときスリット６ｂが圧縮されて簡単に入る。この状態が維持されるように係合部材６の先端に膨出部があり仮止される。スライダー８の間隙に挿入部７ｂが入りスライダー８がセットされ、係合部材６の下端にファスナー取付部材７を当接した状態（図３参照）でスライダー８を図面上で右方向に移動させて下縁ファスナー３の針片３ａと上縁ファスナー５の針片５ａとを噛合させる。このファスナーの終端部で停止した状態でカーテン本体４は吊下げ完了する。
【００１５】
カーテン本体４をカーテンレール１から取り外す場合は、終端で停止しているスライダー８を右側に強引に移動させると針片３ａ,５ａの欠除部１０から抜けてスライダー８をファスナーから取り除くことができる。このスライダー８が抜けた場合は、カーテン本体４の重みで下縁ファスナー３から上縁ファスナー５が開放されてカーテン本体４全体が自重で簡単に落下する。
この場合従来のようにカーテンを外す際にスライダー８をファスナーの元の位置に移動させて（特許文献２図面における左側に）戻す必要がない。
【００１６】
カーテン本体４を取り付ける際にはスライダー８を係合部材６に挿入してカーテン本体４の末端に固着したファスナー取付部材７を回動して係合部材６の下端に当接してスライダー８をセットし、このスライダー８を下縁ファスナ３と上縁ファスナ５とに移動させることにより簡単にカーテン本体４を吊部片２に吊下げることができる。
【産業上の利用可能性】
【００１７】
本発明の簡易着脱式カーテンは、スライドファスナーのスライダーの装着が簡易にできる係合部材とファスナー取付部材とを備えるからカーテンの交換作業が短時間に出来る。また、強度が４〜５ＶＳ/2.5ｃｍ、のスライドファスナーを使用しているから長期間安定した状態でカーテンを装着することができるから病院やホテルなど大型のカーテンにも使用することができる。病院などでは患者の迷惑をかけることなく作業が短時間に可能である。
【図面の簡単な説明】
【００１８】
【図１】本発明の簡易着脱式カーテンの装着開始形態を示す斜視図である。
【図２】本発明のカーテン本体をスライダーにより取付け状態を示す斜視図である。
【図３】図２の要部拡大図である。
【図４】本発明の係合部材とファスナー取付部材の実施形態を示す分解状態を示す斜視図である。
【図５】本発明の簡易着脱式カーテンの上下に分割した状態を示す説明図である。
【図６】本発明の簡易着脱式カーテンの取り外し機構の拡大説明図である。
【符号の説明】
【００１９】
１      カーテンレール  
２      吊部片
３      下縁ファスナー
４      カーテン本体
５      上縁ファスナー
６      係合部材
７      ファスナー取付部材
８      スライダー
９      溝
１０      欠除部  
【図１】
2005095265.tif 000003
【図２】
2005095265.tif 000004
【図３】
2005095265.tif 000005
【図４】
2005095265.tif 000006
【図５】
2005095265.tif 000007
【図６】
2005095265.tif 000008